【手続補正書】
【提出日】令和2年3月3日(2020.3.3)
【手続補正１】
【補正対象書類名】特許請求の範囲
【補正対象項目名】全文
【補正方法】変更
【補正の内容】
【特許請求の範囲】
【請求項１】
第１画素電極と共通電極とを有する第１発光素子と、入出力端子を有し且つ前記入出力端子の一方が前記第１画素電極へ接続する駆動トランジスタと、を備える第１画素と、
前記第１画素と隣接し、第２画素電極と前記共通電極とを有する第２発光素子を備える第２画素と、
第１スイッチを有し、
前記第１スイッチは、ゲート、第１の端子、及び第２の端子を有し、
前記第１画素電極は前記第１の端子と接続し、前記第２画素電極とは前記第２の端子と接続することを特徴とする表示装置。
【請求項２】
前記第１発光素子と並列に接続する第１容量と、
前記第２発光素子と並列に接続する第２容量と、を有し、
前記第１容量は、前記第１画素電極と接続する第１電極を有し、
前記第２容量は、前記第２画素電極と接続する第２電極を有し、
前記第１電極と前記第２電極とは、前記第１スイッチを介して接続されることを特徴とする請求項１に記載の表示装置。
【請求項３】
前記第１画素に映像信号が書き込まれる時、
前記第１スイッチはオンであり、
前記第１発光素子と前記第２発光素子とは並列に接続されることを特徴とする請求項１又は請求項２に記載の表示装置。
【請求項４】
前記第１スイッチを複数個有し、
前記第２画素と隣接し、第３画素電極と前記共通電極とを有する第３発光素子を備える第３画素を有し、
前記第１画素電極と前記第２画素電極とは、複数個の前記第１スイッチの一つを介して接続され、
前記第２画素電極と前記第３画素電極とは、複数個の前記第１スイッチの他の一つを介して接続されることを特徴とする請求項１から請求項３の何れか１項に記載の表示装置。
【請求項５】
前記第１画素と前記第２画素と前記第３画素とを含む、複数の画素が並んで配置され、
前記複数の画素の各々は、画素電極と前記共通電極を有する発光素子を備え、
隣接する前記画素電極が一つの前記第１スイッチを介して接続することで、複数の前記画素電極は互いに接続することを特徴とする請求項４に記載の表示装置。
【請求項６】
前記第１画素は、第２スイッチと、一対の電極を備える容量素子と、を含み、
前記第２スイッチの一方の端子は、前記駆動トランジスタのゲートと電気的に接続され、
前記容量素子の一方の電極は、前記駆動トランジスタの前記ゲートと電気的に接続され、
前記容量素子の他方の電極は、前記第１画素電極と電気的に接続されることを特徴とする請求項１から請求項５の何れか１項に記載の表示装置。
【請求項７】
前記第１画素は、第３スイッチと、第４スイッチと、第５スイッチと、電源線と、を含み、
前記第３スイッチの一方の端子は、前記第２スイッチの前記一方の端子と、前記容量素子の前記一方の電極と、前記駆動トランジスタの前記ゲートと、電気的に接続され、
前記第４スイッチの一方の端子は、前記容量素子の前記他方の電極と、前記第１画素電極と、電気的に接続され、
前記第５スイッチの一方の端子は、前記電源線と、電気的に接続され
前記第５スイッチの他方の端子は、前記駆動トランジスタの前記入出力端子の他方と、
電気的に接続されることを特徴とする請求項６に記載の表示装置。
【請求項８】
前記第１画素は、前記駆動トランジスタと前記第５スイッチとの間に位置する第６スイッチを含み、
前記第６スイッチの一方の端子は、前記第４スイッチの前記一方の端子と、前記第５スイッチの前記他方の端子とに、電気的に接続され、
前記第６スイッチの他方の端子は、前記駆動トランジスタの前記入出力端子の前記他方と電気的に接続され、
前記第４スイッチの前記一方の端子は、前記第６スイッチと前記駆動トランジスタとを介して、前記容量素子の前記他方の電極と前記第１画素電極とに電気的に接続されることを特徴とする請求項７に記載の表示装置。
【請求項９】
前記第１画素は、第４スイッチと、第５スイッチと、第６スイッチと、電源線と、を含み、
前記第５スイッチの一方の端子は、前記電源線と、電気的に接続され
前記第５スイッチの他方の端子は、前記第４スイッチの一方の端子と、前記第６スイッチの一方の端子とに、電気的に接続され
前記第６スイッチの他方の端子は、前記駆動トランジスタの前記入出力端子の他方と電気的に接続されることを特徴とする請求項６に記載の表示装置。
【請求項１０】
第１発光素子を備える第１画素において、入出力端子の一方が前記第１発光素子の一方の端子と電気的に接続される第１駆動トランジスタのゲートと、前記第１画素に隣接し且つ第２発光素子を備える第２画素において、入出力端子の一方が前記第２発光素子の一方の端子と電気的に接続される第２駆動トランジスタのゲートと、に初期化電位を印加し、
前記第１駆動トランジスタの前記入出力端子の他方に電源電圧を印加し、
前記第１発光素子の前記一方の端子と前記第２発光素子の前記一方の端子とを電気的に接続し、
前記第１駆動トランジスタの前記ゲートに、前記第１画素に入力される映像信号に応じたゲート電圧を印加し、
前記第１発光素子と前記第２発光素子との電気的な接続を遮断し、
前記第１駆動トランジスタの前記他方に電源電圧を印加した状態で、前記ゲート電圧に応じた電流を前記第１発光素子に与える、
ことを特徴とする表示装置の駆動方法。
【請求項１１】
前記第１駆動トランジスタの前記ゲートと、前記第２駆動トランジスタの前記ゲートとに、前記初期化電位を同時に印加する
ことを特徴とする請求項１０に記載の表示装置の駆動方法。
【請求項１２】
前記第１発光素子と並列に接続する第１容量と、
前記第２発光素子と並列に接続する第２容量と、を有し、
前記第１容量は、前記第１発光素子の前記一方の端子と接続する第１電極を有し、
前記第２容量は、前記第２発光素子の前記一方の端子と接続する第２電極を有し、
前記第１発光素子の前記一方の端子及び前記第１電極と、前記第２発光素子の前記一方の端子及び前記第２電極との電気的な接続を、前記初期化電位を印加する前に行うことを特徴とする請求項１０又は請求項１１に記載の表示装置の駆動方法。
【請求項１３】
前記ゲート電圧を前記第１駆動トランジスタの前記ゲートに印加する前に、
前記初期化電位を前記第１駆動トランジスタの前記ゲートに印加すると共に、前記第１駆動トランジスタの前記一方にリセット電位を印加し、
前記一方への前記リセット電位の印加を遮断した後で、前記第１駆動トランジスタの前
記他方に電源電圧を印加することを特徴とする請求項１０から請求項１２の何れか１項に記載の表示装置の駆動方法。
【請求項１４】
前記初期化電位の印加と、前記リセット電位の印加を同時に行うことを特徴とする請求項１３に記載の表示装置の駆動方法。
【請求項１５】
前記第１駆動トランジスタの前記ゲートと前記一方との間に、容量素子が設けられ、
前記一方への前記リセット電位の印加を遮断した後で、前記第１駆動トランジスタの前記他方に電源電圧を印加し、前記容量素子に前記第１駆動トランジスタの閾値電圧を保持することを特徴とする請求項１３又は請求項１４に記載の表示装置の駆動方法。
【請求項１６】
前記第２画素に隣接し且つ第３発光素子を備える第３画素において、入出力端子の一方が前記第３発光素子の一方の端子と電気的に接続される第３駆動トランジスタのゲートと、前記第３画素に隣接し且つ第４発光素子を備える第４画素において、入出力端子の一方が前記第４発光素子の一方の端子と電気的に接続される第３駆動トランジスタのゲートと、にさらに前記初期化電位を印加し、
前記第１駆動トランジスタの前記他方に前記電源電圧を印加した後で、
前記第１発光素子の前記一方の端子と、前記第２発光素子の前記一方の端子と、に加え、前記第３発光素子の前記一方の端子と、前記第４発光素子の前記一方の端子と、を電気的に接続することを特徴とする請求項１０から請求項１５の何れか１項に記載の表示装置の駆動方法。
【請求項１７】
第１画素と、前記第１画素に隣接する第２画素とを含み、
前記第１画素と前記第２画素とは、それぞれ、駆動トランジスタと、発光素子と、付加容量と、第２スイッチと、容量素子と、第４スイッチと、第５スイッチと、電源線と、を含み、
前記駆動トランジスタの入出力端子の一方と、前記発光素子の一方の端子と、前記付加容量の一方の端子とは、電気的に接続され、
前記第２スイッチは、前記駆動トランジスタのゲートと接続され、
前記容量素子の一方の端子は、前記駆動トランジスタのゲートと、電気的に接続され、
前記第４スイッチの一方の端子は、前記容量素子の他方の端子と、前記発光素子の一方の端子と、前記付加容量の一方の端子と、電気的に接続され、
前記第５スイッチの他方の端子は、前記駆動トランジスタの入出力端子の他方と、電気的に接続され、
前記第５スイッチの一方の端子は、電源線と、電気的に接続され、
前記第１画素に含まれる発光素子の一方の端子と、前記第１画素に含まれる付加容量の一方の端子と、前記第２画素に含まれる発光素子の一方の端子と、前記第２画素に含まれる付加容量の一方の端子と、を電気的に接続する第１スイッチを有する表示装置の駆動方法であって、
前記第１画素の発光素子の一方の端子及び前記第１画素の付加容量の一方の端子と、前記第２画素の発光素子の一方の端子及び前記第２画素の付加容量の一方の端子とを、第１スイッチをオン状態にすることで、電気的に接続し、
前記第１画素の駆動トランジスタのゲートに、前記第１画素の第２スイッチをオン状態とすることで、初期化電位を印加することと、前記第２画素の駆動トランジスタのゲートに、前記第２画素の第２スイッチをオン状態とすることで、初期化電位を印加することと、前記第１画素の駆動トランジスタの入出力端子の一方に、前記第１画素の第４スイッチをオン状態とすることで、リセット電位を印加することと、前記第２画素の駆動トランジスタの入出力端子の一方に、前記第２画素の第４スイッチをオン状態とすることで、リセット電位を印加することと、を、同時に行い、
前記第１画素の第４スイッチをオフ状態とすることと、前記第２画素の第４スイッチを
オフ状態とすることと、を、同時に行い、
前記第１画素の第５スイッチをオン状態とすることで、前記第１画素の駆動トランジスタの入出力端子の他方に電源電圧を印加し、
前記第１画素の駆動トランジスタの入出力端子の一方とゲートとの間の電位を、前記第１画素の駆動トランジスタの閾値電圧とし、
前記第１画素の第２スイッチをオフ状態とし、
前記第１画素の発光素子と，前記第２画素の発光素子を接続した状態で、
前記第１画素の駆動トランジスタのゲートに、前記第１画素の第２スイッチをオン状態とすることで、映像信号に応じた電圧を印加し、
前記第１画素の第２スイッチをオフ状態とし、
前記第１画素の発光素子及び前記第１画素の付加容量と前記第２画素の発光素子及び前記第２画素の付加容量との電気的な接続を、前記第１スイッチをオフ状態とすることで、遮断し、
前記第１画素の駆動トランジスタの入出力端子の他方に電源電圧を印加した状態で、前記第１画素の駆動トランジスタのゲート電圧に応じた電流を前記第１画素の発光素子に与える、
ことを特徴とする表示装置の駆動方法。
【請求項１８】
第１画素と、前記第１画素に隣接する第２画素とを含み、
前記第１画素と前記第２画素とは、それぞれ、駆動トランジスタと、発光素子と、付加容量と、第２スイッチと、容量素子と、第３スイッチと、第４スイッチと、第５スイッチと、電源線と、を含み、
前記駆動トランジスタの入出力端子の一方と、前記発光素子の一方の端子と、前記付加容量の一方の端子とは、電気的に接続され、
前記第２スイッチは、前記駆動トランジスタのゲートと接続され、
前記容量素子の一方の端子は、前記駆動トランジスタのゲートと、電気的に接続され、
前記第３スイッチの一方の端子は、前記駆動トランジスタのゲートと、前記容量素子の一方の端子と、電気的に接続され、
前記第４スイッチの一方の端子は、前記容量素子の他方の端子と、前記発光素子の一方の端子と、前記付加容量の一方の端子と、電気的に接続され、
前記第５スイッチの他方の端子は、前記駆動トランジスタの入出力端子の他方と、電気的に接続され、
前記第５スイッチの一方の端子は、電源線と、電気的に接続され、
前記第１画素に含まれる発光素子の一方の端子と、前記第１画素に含まれる付加容量の一方の端子と、前記第２画素に含まれる発光素子の一方の端子と、前記第２画素に含まれる付加容量の一方の端子と、を電気的に接続する第１スイッチを有する表示装置の駆動方法であって、
前記第１画素の発光素子の一方の端子及び前記第１画素の付加容量の一方の端子と、前記第２画素の発光素子の一方の端子及び前記第２画素の付加容量の一方の端子とを、第１スイッチをオン状態にすることで、電気的に接続し、
前記第１画素の駆動トランジスタのゲートに、前記第１画素の第３スイッチをオン状態とすることで、初期化電位を印加し、
前記第２画素の駆動トランジスタのゲートに、前記第２画素の第３スイッチをオン状態とすることで、初期化電位を印加し、前記第１画素の駆動トランジスタの入出力端子の一方に、前記第１画素の第４スイッチをオン状態とすることで、リセット電位を印加し、
前記第１画素の第４スイッチをオフ状態とし、
前記第１画素の第５スイッチをオン状態とすることで、前記第１画素の駆動トランジスタの入出力端子の他方に電源電圧を印加し、
前記第１画素の駆動トランジスタの入出力端子の一方とゲートとの間の電位を、前記第１画素の駆動トランジスタの閾値電圧とし、
前記第１画素の第３スイッチをオフ状態とし、
前記第１画素の発光素子と，前記第２画素の発光素子を接続した状態で、
前記第１画素の駆動トランジスタのゲートに、前記第１画素の第２スイッチをオン状態とすることで、映像信号に応じた電圧を印加し、
前記第１画素の第２スイッチをオフ状態とし、
前記第１画素の発光素子及び前記第１画素の付加容量と前記第２画素の発光素子及び前記第２画素の付加容量との電気的な接続を、前記第１スイッチをオフ状態とすることで、遮断し、
前記第１画素の駆動トランジスタの入出力端子の他方に電源電圧を印加した状態で、前記第１画素の駆動トランジスタのゲート電圧に応じた電流を前記第１画素の発光素子に与える、
ことを特徴とする表示装置の駆動方法。
【請求項１９】
第１画素と、前記第１画素に隣接する第２画素とを含み、
前記第１画素と前記第２画素とは、それぞれ、駆動トランジスタと、発光素子と、付加容量と、第２スイッチと、容量素子と、第４スイッチと、第５スイッチと、第６スイッチと、電源線と、を含み、
前記駆動トランジスタの入出力端子の一方と、前記発光素子の一方の端子と、前記付加容量の一方の端子とは、電気的に接続され、
前記第２スイッチは、前記駆動トランジスタのゲートと接続され、
前記容量素子の一方の端子は、前記駆動トランジスタのゲートと、電気的に接続され、
前記第４スイッチの一方の端子は、前記第５スイッチの他方の端子と、前記第６スイッチの一方の端子と、電気的に接続され、
前記第６スイッチの他方の端子は、前記駆動トランジスタの入出力端子の他方と、電気的に接続され、
前記第５スイッチの一方の端子は、電源線と、電気的に接続され、
前記第１画素に含まれる発光素子の一方の端子と、前記第１画素に含まれる付加容量の一方の端子と、前記第２画素に含まれる発光素子の一方の端子と、前記第２画素に含まれる付加容量の一方の端子と、を電気的に接続する第１スイッチを有する表示装置の駆動方法であって、
前記第１画素の発光素子の一方の端子及び前記第１画素の付加容量の一方の端子と、前記第２画素の発光素子の一方の端子及び前記第２画素の付加容量の一方の端子とを、第１スイッチをオン状態にすることで、電気的に接続し、
前記第１画素の駆動トランジスタのゲートに、前記第１画素の第２スイッチをオン状態とすることで、初期化電位を印加することと、前記第２画素の駆動トランジスタのゲートに、前記第２画素の第２スイッチをオン状態とすることで、初期化電位を印加することと、前記第１画素の駆動トランジスタの入出力端子の一方に、前記第１画素の第５スイッチをオフ状態とし、前記第１画素の第４スイッチ及び第６スイッチとをオン状態とすることで、リセット電位を印加することと、を、同時に行い、
前記第１画素の第４スイッチをオフ状態とし、前記第１画素の第５スイッチをオン状態とすることで、前記第１画素の駆動トランジスタの入出力端子の他方に電源電圧を印加し、
前記第１画素の駆動トランジスタの入出力端子の一方とゲートとの間の電位を、前記第１画素の駆動トランジスタの閾値電圧とし、
前記第１画素の第２スイッチと、前記第２画素の第２スイッチと、を同時にオフ状態とし、
前記第１画素の発光素子と，前記第２画素の発光素子を接続した状態で、
前記第１画素の駆動トランジスタのゲートに、前記第１画素の第２スイッチをオン状態とすることで、映像信号に応じた電圧を印加し、
前記第１画素の第２スイッチをオフ状態とし、
前記第１画素の発光素子及び前記第１画素の付加容量と前記第２画素の発光素子及び前記第２画素の付加容量との電気的な接続を、前記第１スイッチをオフ状態とすることで、遮断し、
前記第１画素の駆動トランジスタの入出力端子の他方に電源電圧を印加した状態で、前記第１画素の駆動トランジスタのゲート電圧に応じた電流を前記第１画素の発光素子に与える、
ことを特徴とする表示装置の駆動方法。
【請求項２０】
第１画素と、前記第１画素に隣接する第２画素とを含み、
前記第１画素と前記第２画素とは、それぞれ、駆動トランジスタと、発光素子と、付加容量と、第２スイッチと、容量素子と、第３スイッチと、第４スイッチと、第５スイッチと、第６スイッチと、電源線と、を含み、
前記駆動トランジスタの入出力端子の一方と、前記発光素子の一方の端子と、前記付加容量の一方の端子とは、電気的に接続され、
前記第２スイッチは、前記駆動トランジスタのゲートと接続され、
前記容量素子の一方の端子は、前記駆動トランジスタのゲートと、電気的に接続され、
前記第３スイッチの一方の端子は、前記駆動トランジスタのゲートと、前記容量素子の一方の端子と、電気的に接続され、
前記第４スイッチの一方の端子は、前記第５スイッチの他方の端子と、前記第６スイッチの一方の端子と、電気的に接続され、
前記第６スイッチの他方の端子は、前記駆動トランジスタの入出力端子の他方と、電気的に接続され、
前記第５スイッチの一方の端子は、電源線と、電気的に接続され、
前記第１画素に含まれる発光素子の一方の端子と、前記第１画素に含まれる付加容量の一方の端子と、前記第２画素に含まれる発光素子の一方の端子と、前記第２画素に含まれる付加容量の一方の端子と、を電気的に接続する第１スイッチを有する表示装置の駆動方法であって、
前記第１画素の発光素子の一方の端子及び前記第１画素の付加容量の一方の端子と、前記第２画素の発光素子の一方の端子及び前記第２画素の付加容量の一方の端子とを、第１スイッチをオン状態にすることで、電気的に接続し、
前記第１画素の駆動トランジスタのゲートに、前記第１画素の第３スイッチをオン状態とすることで、初期化電位を印加し、
前記第２画素の駆動トランジスタのゲートに、前記第２画素の第３スイッチをオン状態とすることで、初期化電位を印加し、
前記第１画素の駆動トランジスタの入出力端子の一方に、前記第１画素の第５スイッチをオフ状態とし、前記第１画素の第４スイッチ及び第６スイッチとをオン状態とすることで、リセット電位を印加し、
前記第１画素の第４スイッチをオフ状態とし、前記第１画素の第５スイッチをオン状態とすることで、前記第１画素の駆動トランジスタの入出力端子の他方に電源電圧を印加し、
前記第１画素の駆動トランジスタの入出力端子の一方とゲートとの間の電位を、前記第１画素の駆動トランジスタの閾値電圧とし、
前記第１画素の第３スイッチをオフ状態とし、
前記第１画素の発光素子と，前記第２画素の発光素子を接続した状態で、
前記第１画素の駆動トランジスタのゲートに、前記第１画素の第２スイッチをオン状態とすることで、映像信号に応じた電圧を印加し、
前記第１画素の第２スイッチをオフ状態とし、
前記第１画素の発光素子及び前記第１画素の付加容量と前記第２画素の発光素子及び前記第２画素の付加容量との電気的な接続を、前記第１スイッチをオフ状態とすることで、遮断し、
前記第１画素の駆動トランジスタの入出力端子の他方に電源電圧を印加した状態で、前記第１画素の駆動トランジスタのゲート電圧に応じた電流を前記第１画素の発光素子に与える、
ことを特徴とする表示装置の駆動方法。